【事件の表示】
　商願２０１９−４３２８拒絶査定不服審判事件について、次のとおり審決する。
【結　論】
　本件審判の請求は、成り立たない。
【理　由】
第１　本願商標及び手続の経緯 
　本願商標は、「ＭＥＧＵＲＯ」の文字を標準文字で表してなり、第１２類「二輪自動車・自転車並びにそれらの部品及び附属品」を指定商品として、平成３１年１月１０日に登録出願、その後、本願商標の指定商品については、当審における令和２年２月２８日受付の手続補正書により、「二輪自動車並びにそれらの部品及び附属品」に補正されたものである。
　なお、本願は、令和元年７月４日付けで拒絶理由の通知がされ、同年８月８日受付の意見書が提出されたが、同年１１月２８日付けで拒絶査定がされたものである。
　これに対して令和２年２月２８日に拒絶査定を不服とする審判の請求がされたものである。
  
第２　原査定の拒絶の理由の要点
　原査定は、要旨以下の１及び２のとおりの認定、判断をし、本願を拒絶したものである。
　１　本願商標は、「ＭＥＧＵＲＯ」の文字を標準文字で表してなるところ、当該文字は、東京都２３区の一つである「目黒」を欧文字で表記したものであるから、「東京都目黒区において生産・販売される商品」程の意味合いを容易に理解・認識させる。そうすると、本願商標をその指定商品中「東京都目黒区において生産・販売される商品」に使用しても、単に商品の産地、販売地（品質）を普通に用いられる方法で表示する標章のみからなる商標であって、自他商品の識別標識としての機能を果たし得ない。
　したがって、本願商標は、商標法第３条第１項第３号に該当し、前記に照応する商品以外の商品に使用するときは、商品の品質の誤認を生じさせるおそれがあるから、同法第４条第１項第１６号に該当する。
　２　本願商標は、「ＭＥＧＵＲＯ」の文字を標準文字で表してなるところ、当該文字は、ありふれた氏の一つと認められる「目黒」を欧文字で表記したものであるから、これをその指定商品に使用しても、自他商品の識別標識としての機能を果たし得ない。
　したがって、本願商標は、商標法第３条第１項第４号に該当する。
第３　当審における証拠調べ通知
　当審において、本願商標が商標法第３条第１項第４号に該当するか否かについて、職権による証拠調べをした結果、別掲１の事実を発見したので、同法第５６条第１項で準用する特許法第１５０条第５項の規定に基づき、その結果を請求人に通知し（令和２年８月２１日付け証拠調べ通知書）、相当の期間を指定して意見を述べる機会を与えた。
第４　証拠調べ通知に対する請求人の意見
　請求人は、上記第３の証拠調べ通知に対して、令和２年１０月７日受付の意見書及び同３年１月２９日受付の意見書において、要旨以下のとおり意見を述べた。
　１　商標法第３条第１項第３号及び同法第４条第１項第１６号該当性について
　上記第３の証拠調べ通知では、本願の商標法第３条第１項第４号該当性のみについて言及されていることから、本願商標「ＭＥＧＵＲＯ」は商標法第３条第１項第３号及び同法第４条第１項第１６号に該当するものではないと判断していると思料する。　
　２　商標法第３条第１項第４号について
　「二輪自動車」が取引される業界において、「ＭＥＧＵＲＯ（メグロ）」は、戦前から戦後にかけて日本の二輪自動車業界をけん引してきた目黒製作所及びその二輪自動車を指す語として認識されてきたものであり、現在では、目黒製作所の二輪自動車の流れをくむ本願商標が使用される商品「二輪自動車」の発表により、請求人の業務に係る商品を指すものとも認知されるようになっている。
　このような本願商標の指定商品に係る業界に係る個別の事情を踏まえると、本願商標「ＭＥＧＵＲＯ」はありふれた人の氏姓を一義的に理解させるものではないことは明らかである。
　したがって、本願商標「ＭＥＧＵＲＯ」は商標法第３条第１項第４号に該当するものではない。
第５　当審の判断
　１　商標法第３条第１項第３号及び同法第４条第１項第１６号について
　本願商標は、「ＭＥＧＵＲＯ」の文字を標準文字で表してなるところ、「ＭＥＧＵＲＯ」の文字が、東京都２３区の一つである「目黒」を欧文字で表記したものであると理解させる場合があるとしても、当該文字が、商品の生産地や販売地を直接的に表示したものとして直ちに認識、理解されるとはいい難いものである。
　また、当審において調査するも、「ＭＥＧＵＲＯ」の文字が、本願商標の指定商品の生産地や販売地を表示するものとして、一般に使用されている事実は発見できず、さらに、本願商標に接する取引者、需要者が、当該文字を商品の生産地又は販売地等を表示したものと認識するというべき事情も発見できなかった。
　そうすると、本願商標は、その指定商品との関係において、商品の生産地や販売地等を表示するものとはいえないことから、自他商品の識別機能を果たし得るものというべきであって、本願商標は、商品の生産地や販売地等を表示するものでないことから、本願商標は、商品の品質の誤認を生ずるおそれもないものである。
　したがって、本願商標は、商標法第３条第１項第３号及び同法第４条第１項第１６号には該当しない。
　２　商標法第３条第１項第４号について
　本願商標は、「ＭＥＧＵＲＯ」の文字を標準文字で表してなるところ、その構成態様から、「メグロ」の称呼を生じることは明らかであり、「メグロ」の読みを漢字で表した「目黒」の語は、証拠調べ通知書で示した別掲１のとおりの書籍情報やインターネット情報によれば、日本人の姓氏を表示するものであることが認められ、その「目黒」姓の者が相当数、存在することも認められる。
　また、日本人の姓氏を表記する際に、その読みを欧文字で表記することが、広く一般に行われていることも明らかである。
　そして、本願商標は、標準文字で表してなるものであるから、特異な態様からなるものではない。
　以上からすると、本願商標は、ありふれた氏である「目黒」を普通に用いられる方法で表示する標章のみからなる商標というのが相当である。
　したがって、本願商標は、商標法第３条第１項第４号に該当する。
　３　請求人の主張について
（１）請求人は、「本願商標『ＭＥＧＵＲＯ』は、戦前から戦後にかけて我が国を代表する二輪自動車メーカーであった目黒製作所の二輪自動車のブランドにその淵源があり、同製作所の二輪自動車のコンセプトとブランドは、同製作所の事業を承継した請求人が引き継いで現在に至るものであり、『ＭＥＧＵＲＯ』が前回の東京オリンピックの聖火リレーの先導車を務めた二輪自動車のブランドであること、請求人が現在販売している『Ｗ８００　ＳＴＲＥＥＴ』及び『Ｗ８００　ＣＡＦＥ』の元祖ともいえる二輪自動車が『ＭＥＧＵＲＯ』の名を冠したものであること、これらの事実が雑誌やインターネットで広く紹介されていることを考慮すれば、二輪自動車の需要者間及び取引者間において、本願商標『ＭＥＧＵＲＯ』は、現在においても請求人の業務に係る二輪自動車の商標として一定の認知を得ていることは明らかである。」旨主張する。
　しかしながら、請求人も主張するとおり、１９２３年に設立された目黒製作所が製造した二輪自動車は、戦前から戦後にかけて話題となっていたとしても、目黒製作所が製造した二輪自動車に使用した商標は、別掲２のとおり、赤色で書され、ややデザイン化された「メグロ」の片仮名（以下「メグロマーク」という。）、あるいは、肉太の「ＭＥＧＵＲＯ」の文字が記載されたエンブレム（以下「エンブレム」という。）であり、本願商標とは明らかにその態様等が相違する。
　また、目黒製作所が製造した二輪自動車が、本願商標の登録出願時に、実際に取引されていたこと、販売されていた場合は、その販売数量、広告宣伝の事実等は、何ら確認することができない。
　さらに、請求人が提出した証拠によると、請求人が「ＭＥＧＵＲＯ　Ｋ３」と称する二輪自動車は、２０２１年２月に発売が開始された製品（甲４１）であり、二輪自動車に関する各種イベント等で、当該商品の宣伝や告知を行っていることはうかがい知れるものの、広く需要者に向けたＴＶによるＣＭ等、広く需要者に向けた宣伝が行われていることは確認できず、また、当該商品の販売数量や市場シェアも明らかではない。
　加えて、「ＭＥＧＵＲＯ　Ｋ３」と称する商品に使用される商標は、甲第３４号証等によると、エンブレム（別掲３）やメグロマークであって、明らかに本願商標とは相違する。
　そうすると、二輪自動車の需要者及び取引者において、本願商標「ＭＥＧＵＲＯ」は、現在において、請求人の業務に係る二輪自動車の商標として一定の認知を得ているとは認めることができない。
（２）請求人は、「『二輪自動車』が取引される業界において、『ＭＥＧＵＲＯ（メグロ）』は、戦前から戦後にかけて日本の二輪自動車業界をけん引してきた目黒製作所及びその二輪自動車を指す語として認識されてきたものであり、現在では、目黒製作所の二輪自動車の流れをくむ本件商品の発表により、請求人の業務に係る商品を指すものとも認知されるようになっている。このような本願商標の指定商品に係る業界に係る個別の事情を踏まえると、本願商標はありふれた人の氏姓を一義的に理解させるものではないことは明らかである。」旨主張する。
　しかしながら、上記（１）のとおり、本願商標「ＭＥＧＵＲＯ」は、現在においても、請求人の業務に係る二輪自動車の商標として一定の認知を得ているとは認めることができない。
　また、上記２のとおり、本願商標は、ありふれた氏である「目黒」を普通に用いられる方法で表示する標章のみからなる商標というのが相当である。
（３）したがって、請求人の上記主張は、いずれも採用することができない。　
　４　結論
　以上のとおり、本願商標は、商標法第３条第１項第３号及び同法第４条第１項第１６号に該当しないとしても、同法第３条第１項第４号に該当し、登録することができない。
　よって、結論のとおり審決する。